(57)【特許請求の範囲】
【請求項１】
管両端が紙片搬送管の直径に設定され、中央上部に直方体形状のチャンバを有し、該チャンバの位置まで断面変化するレデューサ状空間と、チャンバ下部の変断面空間とからなる紙片搬送部と、
前記チャンバまたは変断面空間の外側面に設けられ、前記紙片搬送部での火災発生を検知する検知手段と、
両軸端が前記チャンバの外面に軸支され、前記チャンバの底面に含まれるように配置された回動軸に回動可能に軸支され、通常時は、閉塞板とともに、その全面で前記チャンバの底面と前記紙片搬送部とを、紙片の侵入を遮断可能に仕切る仕切り板として機能し、前記検知手段の火災検知によって動作する付勢手段によって前記回動軸回りに回動して起立し、前記変断面空間内の前記チャンバと紙片搬送部の断面を閉塞可能な形状を有する羽根部と、
を備えたことを特徴とする紙片エアシュータダクトの防火ダンパ。
【請求項２】
前記羽根部が起立状態となった状態で、前記羽根部の上半側の端辺が前記チャンバの上面に設けられたストッパ部材に当接して前記起立状態が保持され、前記チャンバと前記紙片搬送部の断面が閉塞されることを特徴とする請求項１に記載の紙片エアシュータダクトの防火ダンパ。
【請求項３】
前記チャンバの外部まで延長された回動軸の軸端に羽根部の復帰用操作手段が設けられたことを特徴とする請求項１に記載の紙片エアシュータダクトの防火ダンパ。
【請求項４】
前記検知手段は、前記紙片搬送部内温度を検知可能な位置に設けられた温度ヒューズであることを特徴とする請求項１に記載の紙片エアシュータダクトの防火ダンパ。
【請求項５】
前記付勢手段は、前記チャンバの外側に装着された引張スプリングであり、前記復帰用操作手段と固定部との間において、前記羽根部が水平状態であるときに付勢された状態で取り付けられ、火災検知時にその付勢が解除され、前記羽根部が回動することを特徴とする請求項３に記載の紙片エアシュータダクトの防火ダンパ。
【発明の詳細な説明】
【技術分野】
【０００１】
本発明は紙片エアシュータダクトの防火ダンパに係り、故紙処理設備において、圧縮空気により細断した紙片を、空気搬送するダクト（以下、紙片エアシュータダクトと呼ぶ。）が建物の防火区画を貫通する箇所に設けられる防火ダンパに関する。
【背景技術】
【０００２】
故紙処理設備建物において、紙片エアーシュータダクトが建物の防火区画を貫通する場合がある。従来この種の設備を備えた建物においては認定された防火ダンパが存在していなかったため、対象物件ごとに防火区画の貫通処理方法や装置を開発し、それぞれ特定行政庁や確認検査機関と協議し対処していた。
【０００３】
特許文献１には、紙片エアーシュータダクトとしての裁断紙片の風送ダクトに設置される防火ダンパの一例が開示されている。この防火ダンパは、上流管１３と下流管１５との間に箱状の連結管１７を設け、この連結管１７内に上流管１３の先端を貫入させ、この上流管１３の先端面を閉塞する羽根２５を、回動軸２３で軸支した構成からなる。連結管１７内に設けられた熱感知手段２９が着火した断裁紙片１０の熱を感知すると、電気モータ等の駆動手段３１が作動して回動軸２３を回動させ、羽根２５を上流管１３の開口端１３ａに密着する位置まで回動させることにより上流管１３の開口端１３ａを閉塞する。
【先行技術文献】
【特許文献】
【０００４】
【特許文献１】特開平１０−３２８３２３号公報
【発明の概要】
【発明が解決しようとする課題】
【０００５】
特許文献１に開示された防火ダンパは、連結管１７内の上流管１３の端部上部に設けられた羽根２５を、電動モータ等の駆動手段を作動させて上流管１３の開口端１３ａを確実に閉塞できるようになっている。しかし、通常時に裁断紙片を搬送する際、上流管１３の先端から裁断紙片が直方体形状の連結管１７内に放出されるような搬送状態となるため、連結管１７内でほぼ水平状態にある羽根２５の上部空間にも裁断紙片が入り込み、熱検知手段２９が設置されている部分に裁断紙片が詰まってしまうおそれがある。
【０００６】
また、羽根２５で上流管１３の先端を閉塞する際も、送風方向に抵抗した方向に羽根を回転させる必要があるため、所定の回転力を付与するためのモータ等の動力を用いる必要があり、モータ駆動部等を付加する必要もあり、設備として大がかりなものとなってしまう。そこで、本発明の目的は上述した従来の技術が有する問題点を解消し、通常時は、搬送経路に沿って確実に裁断紙片を通過させることができ、火災等の検知時には、簡易な機構により確実にダクトを遮断することができる紙片エアシュータダクトの防火ダンパを提供することにある。
【課題を解決するための手段】
【０００７】
上記目的を達成するために、本発明は管両端が紙片搬送管の直径に設定され、中央上部に直方体形状のチャンバを有し、該チャンバの位置まで断面変化するレデューサ状空間と、チャンバ下部の変断面空間とからなる紙片搬送部と、前記チャンバまたは変断面空間の外側面に設けられ、前記紙片搬送部での火災発生を検知する検知手段と、両軸端が前記チャンバの外面に軸支され、前記チャンバの底面に含まれるように配置された回動軸に回動可能に軸支され、通常時は、閉塞板とともに、その全面で前記チャンバの底面と前記紙片搬送部とを、紙片の侵入を遮断可能に仕切る仕切り板として機能し、前記検知手段の火災検知によって動作する付勢手段によって前記回動軸回りに回動して起立し、前記変断面空間内の前記チャンバと紙片搬送部の断面を閉塞可能な形状を有する羽根部と、を備えたことを特徴とする。
【０００９】
前記羽根部が起立状態となった状態で、前記羽根部の上半側の端辺が前記チャンバの上面に設けられたストッパ部材に当接して前記起立状態が保持され、前記チャンバと前記紙片搬送部の断面が閉塞されることが好ましい。
【００１０】
前記チャンバの外部まで延長された回動軸の軸端に羽根部の復帰用操作手段を設けることが好ましい。
【００１１】
前記検知手段は、前記紙片搬送部内温度を検知可能な位置に設けられた温度ヒューズであることが好ましい。
【００１２】
前記付勢手段は、前記チャンバの外側に装着された引張スプリングであり、前記復帰用操作手段と固定部との間において、前記羽根部が水平状態であるときに付勢された状態で取り付けられ、火災検知時にその付勢が解除され、前記羽根部が回動するようにすることが好ましい。
【発明の効果】
【００１３】
以上に述べたように、本発明は、故紙処理設備建物において、紙片を空気搬送するエアーシュータダクトが建物の防火区画を貫通する防火ダクトにおいて、通常使用時には搬送される細断紙片等の詰まりが生じることなく、また火災発生時には簡易な機構により、防火ダンパとしての機能を発揮できるという効果を有する。
【図面の簡単な説明】
【００１４】
【図１】本発明の紙片エアシュータダクトの防火ダンパと、その両側に接続された紙片搬送管とを示した概略斜視図。
【図２】図１に示した防火ダンパの上部を開放した平面図、IIb-IIb断面線に沿って示した縦断面図。
【図３】通常時の防火ダンパの一部を切欠いて羽根部の収容状態を示した部分斜視図。
【図４】火災発生時の防火ダンパの羽根部による閉鎖状態を示した部分斜視図。
【図５】火災発生時の防火ダンパの羽根部の回動状態を示した縦断面図。
【発明を実施するための形態】
【００１５】
以下、本発明の紙片エアシュータダクトの防火ダンパの実施するための形態として、以下の実施例について添付図面を参照して説明する。
【実施例】
【００１６】
図１は、本発明の紙片エアシュータダクトの防火ダンパ１（以下、単に防火ダンパ１と記す。）の外観と防火ダンパ１の端部に接続された紙片搬送管２の一部を示した斜視図である。同図に示したように、本発明の防火ダンパ１は、直方体形状で下面に水平状態の羽根部が配置されたチャンバ１０と、チャンバ１０の下側に位置し、下半部２１Ｂ（図２（ｂ））が半円形断面で、上面が平面状をなす、拡径された変断面空間２１と、この変断面空間２１と一体化した内部空間を構成し、両端部が所定直径の紙片搬送管２と同直径の円形断面となるまで断面形状が絞られたレデューサ形状空間２２とからなる防火ダンパ１の紙片搬送部２０が構成されている。なお、図１では、便宜上、防火ダクト内の各空間を外部から指し示し符号を付している。
【００１７】
また、チャンバ１０と変断面空間２１の外側面を構成する平板部２１ａの所定位置には羽根復帰機構ボックス３０が付設されている。羽根復帰機構ボックス３０内には、後述する温度ヒューズ３１が内蔵されている（図２（ａ））。この温度ヒューズ３１は、所定温度で溶融する公知部材である。火災時等の高温発生時の羽根部１１の回動動作のトリガーとして機能する。なお、上述のように、変断面空間２１の紙片搬送部２０とレデューサ状空間２２の紙片搬送部２０とは、一体的に防火ダンパ１内の紙片搬送部２０を構成しているため、以後、変断面空間２１とレデューサ状空間２２の部位を区別しない場合には、防火ダンパ１内の紙片搬送用の内部空間全体を指して紙片搬送部２０と称する。
【００１８】
以下、図１〜図４の各図を参照して防火ダンパ１の構成について説明する。図２（ａ）は、チャンバ１０の上蓋１２を取り外した状態を示した防火ダンパ１の平面図である。図２（ｂ）は、チャンバ１０ー内と紙片搬送部２０内とを示した縦断面図である。図３は、チャンバ１０の上蓋１２と管長手方向の一辺を取り除いて、羽根部１１が水平状態のチャンバ１０内を示した概略斜視図、図４は羽根部１１が起立した状態のチャンバ１０内を示した概略斜視図である。
【００１９】
チャンバ１０は、図１及び図２（ａ）に示したように、平面視して管長手方向を長辺とし、レデューサ状空間２２の拡径側を短辺とした直方体状の箱状をなし、水平状態の羽根部１１と閉塞板１４（後述する。）とが底面を構成する。チャンバ１０の管長手方向に直交する面１０ａと管長手方向に沿った長辺の側面１０ｂとは、図１に示したように、高さが異なる。したがって、レデューサ形状空間２２の上半部２２Ｕは、図１に示した紙片搬送管２の所定直径（φ１５０〜３５０程度を想定）の円形断面と同直径の端部から高さの異なるチャンバ１０の各辺１０ａ，１０ｂの下端に滑らかに倣うように、断面形状が曲線状の略逆Ｕ字形から角形で下向きコ字形へと変化する３次元曲面加工され、チャンバ１０の各辺１０ａ，１０ｂの下端と一体接合されている。紙片搬送部２０全長を通じて下半部２０Ｌは紙片搬送管２と同直径の半円筒状をなしている。
【００２０】
チャンバ１０の外側側面には、羽根復帰機構ボックス３０が取り付けられている。この羽根復帰機構ボックス３０には、羽根部１１の回動軸１３の一端が延長され、さらに羽根復帰機構ボックス３０から突出した軸端１３ａには、羽根部１１を初期状態に戻すことができる復帰用操作手段としての復帰用ハンドル３２が取り付けられている。また復帰用ハンドル３２の先端３２ａとボックス３０の固定部３０ａとの間には引張スプリング３３が装着されている。引張スプリング３３は羽根部１１が閉塞状態となるように復帰用ハンドル３２を回動させる付勢手段として機能する。さらに羽根復帰機構ボックス３０内には、温度ヒューズ３１と、復帰用ハンドル３２を所定位置にロックするロック機構３５が収容されている。なお、チャンバ１０上面は、蝶番１５により開閉可能な上蓋１２で覆われている。
【００２１】
図２（ａ）はチャンバ１０の上蓋１２を取り除いて、チャンバ１０内と、チャンバ１０の底面を構成するように収容された羽根部１１、羽根部１１を回動軸１３に固定する支持部材の構成を示した部分平面図である。また、チャンバ１０の側辺に設けられた羽根復帰機構ボックス３０の構成も明らかにされている。図２（ａ）に示したように、チャンバ１０の底面に相当する位置（変断面空間２１の上面）には羽根部１１が配置、収容されている。この羽根部１１はチャンバ１０の下面位置に相当する側面を貫通するように架設された回動軸１３に、水平状態を保持して軸支されている。
【００２２】
羽根部１１は、図２（ａ）に示したように、平面視して、回動軸１３を挟んだ右側部においてチャンバ１０内面に接し、ダンパ閉塞時にチャンバ１０内を閉塞する上半部１１Ｕと、回動軸１３を挟んだ左側部において、紙片搬送管２の内径にほぼ等しく、ダンパ閉塞時に紙片搬送路２０の下半部２０Ｌを閉塞する円弧形状部１１ａと、円弧状部１１ａと回動軸１３との間の平板部１１ｂとからなる下半部１１Ｌとが一体的な平板形状をなすように構成されている。さらに、チャンバ１０内の隅角部には、羽根部１１の下半部１１Ｌの円弧形状部１１ａと相対する凹円弧状をなす縁部が形成された閉塞板１４が、水平状態にある羽根部１１と面一となるように、チャンバ１０の内周面に固着されている。これにより、チャンバ１０の底面は、羽根部１１と閉塞板１４とにより、通常時は紙片搬送部２０とチャンバ１０とを仕切る仕切り板として機能する。
【００２３】
図２（ｂ）に示したように、上蓋１２の下面の所定位置には、羽根部１１が回動した際に羽根部１１の上半部の上端辺を受け止めるストッパ部材１６が回動軸１３と平行にチャンバ１０の幅方向全幅にわたり取り付けられている。
【００２４】
この上半部１１Ｕと下半部１１Ｌとが一体化した平板形状の羽根部１１は、図２（ａ）に示したように、チャンバ１０の側面の軸受部１７に軸支された回動軸１３に、複数の軸支プレート１８を介して取り付けられている。軸支プレート１８は、回動軸１３外径にほぼ等しい支持孔が形成された平板小片で、この軸支プレート１８は、図２（ａ）に示したように、回動軸１３に沿って所定の間隔をあけて配置され、保持フランジ１９と羽根部１１の表面とに固着されている。羽根部１１は、各軸支プレート１８を介して回動軸１３に固着されている。また平板状の羽根部１１の周縁部には、図２（ｂ），図３，図４に示したように、補強のための外周フランジ１１ｃが形成されている。これにより、羽根部１１が回動し、起立し、防火ダクト１内の紙片搬送部２０を閉塞した状態で紙片搬送管２の上流側から送風されても羽根部１１が変形することが防止される。なお、羽根部１１の補強のためには、上述の外周フランジ１１ｃに限られず、平板面に複数列の補強リブ等を配置することができる。
【００２５】
次に、羽根復帰機構ボックス３０の構成について、図１，図２（ａ），図３，図４を参照して説明する。チャンバ１０の一方の側辺には、上記各図に示したように、羽根復帰機構ボックス３０が取り付けられている。この羽根復帰機構ボックス３０では、回動軸１３の一端がボックス内部を貫通し、その側面から突出し、その軸端１３ａに復帰用ハンドル３２が取り付けられている。この復帰用ハンドル３２の端部には、図３に示したように、固定部３０ａとの間に引張スプリング３３が伸長した状態で装着されている。また羽根復帰機構ボックス３０内にはロック機構３５が内蔵されている。このロック機構３５は、引張スプリング３３を伸長させた状態で、羽根部１１を水平状態に保持させる役割を果たす。ロック機構３５内には、チャンバ１０内の紙片搬送部２０内の温度を検知可能な温度ヒューズ３１が組み込まれている。温度ヒューズ３１は紙片搬送部２０内が所定温度（本実施例では７２℃）以上に上昇すると溶融し、ロック機構３５内に組み込まれていた機械的接続が切断され、羽根部１１を水平に保持していた機械的なロック状態が解除される。ロック状態が解除された羽根部１１は、引張スプリング３３の付勢力により、図４に示したように、水平状態から回動して起立状態となり、防火ダンパ１内の紙片搬送路２０を遮断する。そのとき、この起立状態は、羽根部１１の上半部１１Ｕの上端辺がストッパ部材１６に当接することで保持される。羽根部１１の起立状態が保持されることで、防火ダンパ１内の紙片搬送部２０は完全に閉鎖される。
【００２６】
図５は、図２（ｂ），図３の状態（通常時）から、火災時等に温度ヒューズ３１（図２（ａ））が溶融してロック機構３５を解除し、羽根部１１が回動して起立し、防火ダンパ１内の搬送部を完全に閉塞するまでの羽根部１１の回動状態を連続的に示した動作説明図である。図２（ｂ）及び図５に示したように、通常時は羽根部１１の上部のチャンバ１０と紙片搬送部２０との間は、羽根部１１と閉塞板１４とで仕切られているので、細かい紙片がチャンバ１０内へ侵入するのを防止できる。また、温度ヒューズ３１が火災等による温度上昇により溶融するとロック機構３５が解除され、羽根部１１が回動軸１３回りに回動して、羽根部１１上端がストッパ部材１６に当接して起立状態で停止し、防火ダンパ１内の紙片搬送部２０は起立状態の羽根部１１によりその経路が確実に遮断される。なお、図５に示したような閉塞状態の羽根部１１を水平状態に戻すには、図４に示した状態にある復帰用ハンドル３２を、引張スプリング３３の引張力に抗して、図３の位置まで９０°回動させ、新しい温度ヒューズ３１を用いてロック機構３５をリセットすることで、図２（ｂ），図３の状態に復帰させることができる。
【００２７】
なお、本発明は上述した実施例に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００２８】
１  防火ダンパ
２  紙片搬送管
１０  チャンバ
１１  羽根部
１３  回動軸
１４  閉塞板
１６  ストッパ部材
２０  紙片搬送部
２１  変断面空間
２２  レデューサ状空間
３０  羽根復帰機構ボックス
３１  温度ヒューズ
３２  復帰用ハンドル
３３  引張スプリング
３５  ロック機構
【図１】
0005638402.tif 000002
【図２】
0005638402.tif 000003
【図３】
0005638402.tif 000004
【図４】
0005638402.tif 000005
【図５】
0005638402.tif 000006